(57)【特許請求の範囲】
【請求項１】
駐車支援システムであって、
車両の周囲の外界情報を取得する外界情報取得装置と、
前記外界情報に基づいて、駐車空間から設定される仮想駐車枠及び／又は利用可能な区画された駐車枠を駐車枠候補として検出する駐車枠候補検出装置と、
前記駐車枠候補を表示するための表示装置と、
前記表示装置に表示された前記駐車枠候補に対するユーザによる選択操作を受け付ける選択操作子と、
前記表示装置の画面表示を制御するとともに、前記選択操作子を介して前記ユーザにより選択された前記駐車枠候補を目標駐車枠に設定し、前記目標駐車枠内に前記車両を停止させるべき停止位置を設定し、前記停止位置に至る軌道に沿って前記車両を自律的に移動させる駆動処理を実行する制御装置とを有し、
前記制御装置は、前記駆動処理の実行中、前記軌道及び前記停止位置を前記表示装置に表示させ、且つ、前記外界情報に基づいて前記停止位置の適否を判定し、前記停止位置の不適を判定した場合、前記停止位置を修正し、修正した前記停止位置を前記表示装置に表示させることを特徴とする駐車支援システム。
【請求項２】
前記制御装置は、前記停止位置を前記軌道に沿って前記目標駐車枠の入口側に修正することを特徴とする請求項１に記載の駐車支援システム。
【請求項３】
前記駐車枠候補検出装置は前記駐車空間から設定される前記仮想駐車枠を前記駐車枠候補として検出し、
前記停止位置の不適は、前記駐車枠内に位置する障害物の検出を含み、
前記制御装置は、前記障害物の検出によって前記停止位置の不適を判定した場合、所定の第１上限値以下の移動量をもって前記停止位置を修正することを特徴とする請求項２に記載の駐車支援システム。
【請求項４】
前記駐車枠候補検出装置は利用可能な区画された前記駐車枠を前記駐車枠候補として検出し、
前記停止位置の不適は、前記駐車枠の側部の区画線の検出不能を含み、
前記制御装置は、前記区画線の検出不能によって前記停止位置の不適を判定した場合、所定の第２上限値以下の移動量をもって前記停止位置を修正することを特徴とする請求項２又は請求項３に記載の駐車支援システム。
【請求項５】
前記目標駐車枠の長さは前記車両の全長よりも長く、
前記第２上限値は、前記車両が前記目標駐車枠に収まる範囲で設定されることを特徴とする請求項４に記載の駐車支援システム。
【請求項６】
前記駐車枠候補検出装置は前記駐車空間から設定される前記仮想駐車枠及び利用可能な区画された前記駐車枠を前記駐車枠候補として検出し、
前記停止位置の不適は、前記駐車枠内に位置する障害物の検出及び、前記駐車枠の側部の区画線の検出不能を含み、
前記制御装置は、前記障害物の検出によって前記停止位置の不適を判定した場合、所定の第１上限値以下の移動量をもって前記停止位置を修正し、前記区画線の検出不能によって前記停止位置の不適を判定した場合、前記第１上限値よりも小さな所定の第２上限値以下の移動量をもって前記停止位置を修正することを特徴とする請求項２に記載の駐車支援システム。
【請求項７】
前記駐車枠候補検出装置は、前記外界情報に基づいて検出した前記仮想駐車枠及び／又は前記駐車枠が前記目標駐車枠の大きさに満たない場合にも、前記仮想駐車枠及び／又は前記駐車枠を前記駐車枠候補として検出することを特徴とする請求項１〜請求項６のいずれかに記載の駐車支援システム。
【請求項８】
前記制御装置は、前記駆動処理の実行中、前記目標駐車枠を前記表示装置に表示させ、前記停止位置の適否に関わらず前記目標駐車枠の位置を修正しないことを特徴とする請求項１〜請求項７のいずれかに記載の駐車支援システム。
【発明の詳細な説明】
【技術分野】
【０００１】
本開示は、車両を自律走行させて駐車させる駐車支援システムに関する。
【背景技術】
【０００２】
車両の制駆動力を制御して車両を所定の停止位置まで移動させる自動駐車装置が公知である（特許文献１）。この自動駐車装置は、撮像手段が撮像した車両後方の画像を処理して駐車領域と後部状況を認識し、駐車領域と後部状況に基づいて停止位置を決定する。具体的には、駐車領域後部の輪止めを認識した場合は、自動駐車装置は輪止めに車両の後輪が接触する位置を車両の停止位置とする。駐車領域後部の輪止めがない場合、自動駐車装置は、駐車領域後部の駐車枠を認識し、駐車枠と車両後端との間に所定の空間を確保した停止位置を決定する。輪止めも駐車枠もない場合は、自動駐車装置は駐車領域の後部に壁面があるかどうかを判断し、壁面がある場合は車両後端と壁面との間に空間を確保した位置を目標停止位置とする。壁面がない場合は、自動駐車装置は、駐車領域の入口を決定し、駐車領域の入口から連続して平らである部分が車両を駐車するのに十分な長さがあるかどうかを判断する。平らで十分な長さの駐車スペースがある場合は、自動駐車装置は車両前端が駐車領域の入口に来る位置を目標停止位置とする。十分な長さの平らな駐車スペースがない場合には、自動駐車装置は車両後端と平らな部分の後端との間に空間を確保した位置を目標停止位置とする。
【０００３】
また、駐車可能なスペースを自車両の進行方向のできるだけ遠方から検出できるようにした駐車枠確認装置が公知である（特許文献２）。この駐車枠確認装置は、左右側方の路面を含む画像を撮像する側方撮像部で撮像された画像の中から、自車両側方の駐車枠線を検出し、自車両側方の駐車枠線が有する特徴に基づいて、進行方向撮像部が撮像した自車両の進行方向の路面を含む画像の中から自車両が駐車可能な駐車枠を検出する。各駐車枠線については、駐車形態を表す駐車種別（並列駐車、斜め駐車及び縦列駐車の別）が判定される。複数の駐車枠が検出されたときには、検出された複数の駐車可能領域の情報がモニターに表示される。
【先行技術文献】
【特許文献】
【０００４】
【特許文献１】特開平１１−１０５６８６号公報
【特許文献２】特開２０１６−１６６８１号公報
【発明の概要】
【発明が解決しようとする課題】
【０００５】
複数の駐車枠がモニターに表示される自動駐車装置では、表示された複数の駐車可能領域の中から希望の駐車枠をユーザに選択させ、選択された駐車枠に車両を駐車させることができる。自動駐車装置は、ユーザにより選択された駐車枠を目標駐車枠に設定し、測距センサや撮像装置等の外界センサの検知結果に基づいて周辺状況を確認しつつ車両を目標駐車枠へ移動させるとよい。自動駐車装置が車両を目標駐車枠へ移動させる駆動制御を開始した後に、駐車枠を示す白線等の区画線の途切れや、駆動制御の開始時には検知していなかった障害物が検知された場合、自動駐車装置は目標駐車枠に到達する前に車両を停止させる必要がある。このような場合、モニターに表示される目標駐車枠と車両の位置とが異なることから、ユーザが違和感を覚える虞がある。
【０００６】
本発明は、このような背景に鑑み、目標駐車枠の選択時に設定された位置へ車両を移動させることができない場合にユーザが覚える違和感を抑制できる駐車支援システムを提供することを課題とする。
【課題を解決するための手段】
【０００７】
このような課題を解決するために、本発明のある実施形態は、駐車支援システム（１）であって、車両の周囲の外界情報を取得する外界情報取得装置（７）と、前記外界情報に基づいて、駐車空間（５０）から設定される仮想駐車枠（５１）及び／又は利用可能な区画された駐車枠（５２）を駐車枠候補として検出する駐車枠候補検出装置（４１）と、前記駐車枠候補（５１、５２）を表示するための表示装置（３２）と、前記表示装置に表示された前記駐車枠候補に対するユーザによる選択操作を受け付ける選択操作子（３５、３２）と、前記表示装置の画面表示を制御するとともに、前記選択操作子を介して前記ユーザにより選択された前記駐車枠候補を目標駐車枠（５３）に設定し、前記目標駐車枠内に前記車両を停止させるべき停止位置（５７）を設定し、前記停止位置に至る軌道（５６）に沿って前記車両を自律的に移動させる駆動処理を実行する制御装置（１５）とを有し、前記制御装置は、前記駆動処理の実行中、前記軌道及び前記停止位置を前記表示装置に表示させ、且つ、前記外界情報に基づいて前記停止位置の適否を判定し、前記停止位置の不適を判定した場合（ＳＴ）、前記停止位置を修正し、修正した前記停止位置を前記表示装置に表示させる。ここで、目標駐車枠は、水平面上に広がりを有する領域であり、目標駐車領域或いは目標駐車位置と称してもよい。
【０００８】
この構成によれば、駆動処理の実行中に停止位置の不適が判定された場合、表示装置に表示された修正後の停止位置と車両の位置とのずれが縮小される。そのため、駆動処理の終了時に停止位置と車両の位置とが異なることによってユーザが覚える違和感を抑制することができる。
【０００９】
上記構成において、前記制御装置は、前記停止位置を前記軌道に沿って前記目標駐車枠の入口側に修正するとよい。
【００１０】
この構成によれば、軌道を修正する必要がないため、停止位置の修正が容易である。
【００１１】
上記構成において、前記駐車枠候補検出装置は前記駐車空間から設定される前記仮想駐車枠を前記駐車枠候補として検出し、前記停止位置の不適は、前記駐車枠内に位置する障害物（５８）の検出を含み、前記制御装置は、前記障害物の検出によって前記停止位置の不適を判定した場合、所定の第１上限値以下の移動量をもって前記停止位置を修正するとよい。
【００１２】
この構成によれば、障害物の検出に起因して修正する停止位置の移動量に、第１上限値以下という制限が設けられることで、表示装置に表示された停止位置と画像の位置とが異なることによってユーザが覚える違和感を一層抑制することができる。
【００１３】
上記構成において、前記駐車枠候補検出装置は利用可能な区画された前記駐車枠を前記駐車枠候補として検出し、前記停止位置の不適は、前記駐車枠の側部の区画線（５４）の検出不能を含み、前記制御装置は、前記区画線の検出不能によって前記停止位置の不適を判定した場合、所定の第２上限値以下の移動量をもって前記停止位置を修正するとよい。
【００１４】
この構成によれば、区画線を検出できないことに起因して修正する停止位置の移動量に、第２上限値以下という制限が設けられることで、表示装置に表示された停止位置と画像の位置とが異なることによってユーザが覚える違和感を一層抑制することができる。
【００１５】
上記構成において、前記目標駐車枠の長さ（Ｌ２）は前記車両の全長（Ｌ１）よりも長く、前記第２上限値は、前記車両が前記目標駐車枠に収まる範囲（例えば、Ｍ／２＝（Ｌ２−Ｌ１）／２以下）で設定されるとよい。
【００１６】
この構成によれば、駆動処理の終了時に車両が目標駐車枠からはみ出た位置に停止することがない。そのため、駆動処理の終了時における車両の位置に対してユーザが覚える違和感を抑制することができる。
【００１７】
上記構成において、前記駐車枠候補検出装置は前記駐車空間から設定される前記仮想駐車枠及び利用可能な区画された前記駐車枠を前記駐車枠候補として検出し、前記停止位置の不適は、前記駐車枠内に位置する障害物（５８）の検出及び、前記駐車枠の側部の区画線（５４）の検出不能を含み、前記制御装置は、前記障害物の検出によって前記停止位置の不適を判定した場合、所定の第１上限値以下の移動量をもって前記停止位置を修正し、前記区画線の検出不能によって前記停止位置の不適を判定した場合、前記第１上限値よりも小さな所定の第２上限値以下の移動量をもって前記停止位置を修正するとよい。
【００１８】
表示装置に表示される駐車枠候補が駐車枠候補検出装置によって区画線を検出できない駐車枠であることは、障害物が存在する場合よりも、ユーザにとって認識しづらい。この構成によれば、区画線の検出不能に起因して停止位置を修正する場合、障害物の検出に起因して停止位置を修正する場合に比べて小さな第２上限値の移動量をもって停止位置が修正される。そのため、区画線を検出できないことに起因して修正された停止位置に車両が停止した場合に、表示装置に表示された停止位置と画像の位置とが異なることによってユーザが覚える違和感を抑制することができる。
【００１９】
上記構成において、前記駐車枠候補検出装置は、前記外界情報に基づいて検出した前記仮想駐車枠及び／又は前記駐車枠が前記目標駐車枠の大きさに満たない場合にも、前記仮想駐車枠及び／又は前記駐車枠を前記駐車枠候補として検出するとよい。
【００２０】
この構成によれば、仮想駐車枠及び／又は駐車枠がその全体の大きさをもって検出されない場合であっても、これらの仮想駐車枠及び／又は駐車枠が駐車枠候補として表示装置に表示される。そのため、目標駐車枠に設定すべき駐車枠候補の選択肢が広がり、駐車支援システムの利便性が高まる。
【００２１】
上記構成において、前記制御装置は、前記駆動処理の実行中、前記目標駐車枠を前記表示装置に表示させ、前記停止位置の適否に関わらず前記目標駐車枠の位置を修正しないとよい。
【００２２】
この構成によれば、停止位置が修正された場合であっても目標駐車枠の位置は修正されないため、目標駐車枠の位置が変更されることによってユーザが違和感を覚えることがない。
【発明の効果】
【００２３】
このように本発明によれば、目標駐車枠の選択時に設定された位置へ車両移動させることができない場合にユーザが覚える違和感を抑制できる駐車支援システムを提供することができる。
【図面の簡単な説明】
【００２４】
【図１】駐車支援システムが搭載される車両の機能構成図
【図２】自動入庫処理のフローチャート
【図３】（Ａ）取得処理中（駐車探索画面）、（Ｂ）駆動処理中（入庫画面）、及び（Ｃ）車両の自動駐車が完了したとき（入庫画面）のタッチパネルの画面表示を示す図
【図４】目標駐車枠の説明図
【図５】検出された駐車枠から表示選択される駐車枠候補説明図
【図６】（Ａ）駐車空間、（Ｂ）駐車空間内に検出される駐車枠候補、（Ｃ）及び（Ｄ）表示選択される駐車枠候補を示す説明図
【図７】駐車探索画面において（Ａ）目標駐車枠選択前、（Ｂ）目標駐車枠選択後のタッチパネルの画面表示を示す図
【図８】（Ａ）停止位置変更前、（Ｂ）停止位置変更後、（Ｃ）駐車完了時における、タッチパネルの画面表示を示す図
【図９】（Ａ）停止位置変更前、（Ｂ）停止位置変更後、（Ｃ）駐車完了時における、タッチパネルの画面表示を示す図
【発明を実施するための形態】
【００２５】
以下、図面を参照して、本発明の実施形態について詳細に説明する。
【００２６】
駐車支援システム１は車両を自律走行させる車両制御システム２を備えた自動車等の車両に搭載される。
【００２７】
図１に示すように、車両制御システム２は、推進装置４、ブレーキ装置５、ステアリング装置６、外界センサ７、車両センサ８、ナビゲーション装置１０、運転操作子１１、運転操作センサ１２、状態検出センサ１３、ＨＭＩ１４、及び制御装置１５を有している。車両制御システム２の各構成は、ＣＡＮ（Ｃｏｎｔｒｏｌｌｅｒ  Ａｒｅａ  Ｎｅｔｗｏｒｋ）等の通信手段によって信号伝達可能に互いに接続されている。
【００２８】
推進装置４は車両に駆動力を付与する装置であり、例えば動力源及び変速機を含む。動力源はガソリンエンジンやディーゼルエンジン等の内燃機関及び電動機の少なくとも一方を有する。本実施形態では、推進装置４は自動変速機１６と、自動変速機１６のシフトポジション（シフト位置）を変更するシフトアクチュエータ１７とを含む。ブレーキ装置５は車両に制動力を付与する装置であり、例えばブレーキロータにパッドを押し付けるブレーキキャリパと、ブレーキキャリパに油圧を供給する電動シリンダとを含む。ブレーキ装置５はワイヤケーブルによって車輪の回転を規制する電動のパーキングブレーキ装置を含んでもよい。ステアリング装置６は車輪の舵角を変えるための装置であり、例えば車輪を転舵するラックアンドピニオン機構と、ラックアンドピニオン機構を駆動する電動モータとを有する。推進装置４、ブレーキ装置５、及びステアリング装置６は、制御装置１５によって制御される。
【００２９】
外界センサ７は車両の周辺からの電磁波や音波等を捉えて、車外の物体等を検出し、車両の周辺情報を取得する装置（外界情報取得装置）である。外界センサ７はソナー１８及び車外カメラ１９を含んでいる。外界センサ７はミリ波レーダやレーザライダを含んでいてもよい。外界センサ７は検出結果を制御装置１５に出力する。
【００３０】
ソナー１８はいわゆる超音波センサであり、超音波を車両の周囲に発射し、その反射波を捉えることにより物体の位置（距離及び方向）を検出する。ソナー１８は車両の後部及び前部にそれぞれ複数設けられている。本実施形態では、ソナー１８はリアバンパに左右２対、フロントバンパに左右２対、車両の左右側面前端及び後端にそれぞれ１対ずつ、合計６対設けられている。リアバンパに設けられたソナー１８は主に車両の後方にある物体の位置を検出し、フロントバンパに設けられたソナー１８は主に車両の前方にある物体の位置を検出する。車両の左右側面前端に設けられたソナー１８はそれぞれ車両前端の左右外方にある物体の位置を検出し、車両の左右側面後端に設けられたソナー１８はそれぞれ車両後端の左右外方にある物体の位置を検出する。
【００３１】
車外カメラ１９は車両の周囲を撮像する装置であり、例えば、ＣＣＤやＣＭＯＳ等の固体撮像素子を利用したデジタルカメラである。車外カメラ１９は車両の前方を撮像する前方カメラと後方を撮像する後方カメラとを含んでいる。車外カメラ１９は車両のドアミラー設置場所近傍に設けられ、左右側部を撮像する左右１対の側方カメラを含んでいるとよい。
【００３２】
車両センサ８は、車両の速度を検出する車速センサ、加速度を検出する加速度センサ、鉛直軸回りの角速度を検出するヨーレートセンサ、車両の向きを検出する方位センサ等を含む。ヨーレートセンサは、例えばジャイロセンサである。
【００３３】
ナビゲーション装置１０は車両の現在位置を取得し、目的地への経路案内等を行う装置であり、ＧＰＳ受信部２０、及び地図記憶部２１を有する。ＧＰＳ受信部２０は人工衛星（測位衛星）から受信した信号に基づいて車両の位置（緯度や経度）を特定する。地図記憶部２１は、フラッシュメモリやハードディスク等の公知の記憶装置によって構成され、地図情報を記憶している。
【００３４】
運転操作子１１は車室内に設けられ、車両を制御するためにユーザが行う入力操作を受け付ける。運転操作子１１は、ステアリングホイール２２、アクセルペダル２３、ブレーキペダル２４（制動操作子）、及び、シフトレバー２５を含む。
【００３５】
運転操作センサ１２は、対応する運転操作子１１の操作量を検出する。運転操作センサ１２は、ステアリングホイール２２の舵角センサ２６、及び、ブレーキペダル２４の踏込量を検出するブレーキセンサ２７、及び、アクセルペダル２３の踏込量を検出するアクセルセンサ２８を含む。運転操作センサ１２は検出した操作量をそれぞれ制御装置１５に出力する。
【００３６】
状態検出センサ１３は乗員の操作による車両の状態変化を検出するためのセンサである。状態検出センサ１３が検出する乗員の操作には、降車意思に対応する乗員の操作、及び、駐車動作中の車両周辺監視を放棄することに対応する乗員の操作を含む。状態検出センサ１３は、降車意思に対応する乗員の操作を検出するためのセンサとして、車両のドアの開閉を検出するドア開閉センサ２９と、シートベルトの装着状態を検出するシートベルトセンサ３０とを含む。状態検出センサ１３は、駐車動作中の車両周辺監視を放棄することに対応する乗員の操作を検出するためのセンサとして、ドアミラーの位置を検出するドアミラー位置センサ３１を含む。状態検出センサ１３は検出した車両の状態変化を示す信号をそれぞれ制御装置１５に出力する。
【００３７】
ＨＭＩ１４は、乗員に対して表示や音声によって各種情報を通知するとともに、乗員から入力操作を受け付ける出入力装置である。ＨＭＩ１４は、例えば、液晶や有機ＥＬ等の表示画面を有し、乗員からの画面への入力操作を受け付けるタッチパネル３２と、ブザーやスピーカ等の音発生装置３３と、駐車メインスイッチ３４と、選択操作子３５とを含む。駐車メインスイッチ３４は乗員から自動入庫や自動出庫等の自動駐車に係る入力操作を受け付ける。駐車メインスイッチ３４は乗員から押圧（プッシュ）操作が行われたときにのみオンとなる、いわゆるモーメンタリスイッチである。選択操作子３５は乗員から自動入庫や自動出庫等の自動駐車に係る選択操作を受け付ける。選択操作子３５は回転式であり、より好ましくは押し込むことで選択可能なセレクトスイッチであるとよい。
【００３８】
制御装置１５は、ＣＰＵ、不揮発性メモリ（ＲＯＭ）、及び、揮発性メモリ（ＲＡＭ）等を含む電子制御装置（ＥＣＵ）である。制御装置１５はＣＰＵでプログラムに沿った演算処理を実行することで、各種の車両制御を実行する。制御装置１５は１つのハードウェアとして構成されていてもよく、複数のハードウェアからなるユニットとして構成されていてもよい。また、制御装置１５の各機能部の少なくとも一部は、ＬＳＩやＡＳＩＣ、ＦＰＧＡ等のハードウェアによって実現されてもよく、ソフトウェア及びハードウェアの組み合わせによって実現されてもよい。
【００３９】
また、制御装置１５はプログラムに沿った演算処理を実行することで、車外カメラ１９により撮影された画像（映像）の変換処理を行い、車両及びその周辺の平面視に相当する俯瞰画像や、車両及びその進行方向の周辺を上方から見た三次元画像に相当する鳥瞰画像を生成する。制御装置１５は、前方カメラ、後方カメラ及び左右の側方カメラの各画像を組み合わせて俯瞰画像を生成し、進行方向を向く前方カメラ又は後方カメラの画像と左右の側方カメラの画像とを組み合わせて鳥瞰画像を生成するとよい。
【００４０】
駐車支援システム１は乗員によって選択された所定の目標枠（目標駐車枠５３（図３（Ｂ）参照）、又は目標出庫枠）に車両を自律的に移動させて入庫及び出庫させる、いわゆる自動駐車を行うためのシステムである。
【００４１】
駐車支援システム１は、制御装置１５、駐車枠候補検出装置としての外界センサ７（ソナー１８及び車外カメラ１９）、選択操作が可能な表示装置としてのタッチパネル３２、選択操作子３５、及び撮像装置としての車外カメラ１９を含む。
【００４２】
制御装置１５は、推進装置４やブレーキ装置５、ステアリング装置６を制御して、車両に、目標駐車枠５３に自律的に移動させて入庫させる自律的な入庫動作、及び目標出庫枠に車両を自律的に移動させて出庫させる自律的な出庫動作をそれぞれ実行させることができる。このような制御を行うため、制御装置１５は、外界認識部４１、自車位置特定部４２、行動計画部４３、走行制御部４４、車両異常検出部４５、及び車両状態判定部４６を含む。
【００４３】
外界認識部４１は、外界センサ７の検出結果に基づいて、車両の周辺に存在する例えば、駐車車両や壁などの障害物を認識し、障害物に関する位置や大きさ等の情報を取得する。また、外界認識部４１は車外カメラ１９によって取得した画像をパターンマッチング等の公知の画像解析手法に基づいて解析し、輪止めや障害物の有無及びその大きさを取得する。更に、外界認識部４１はソナー１８からの信号を用いて障害物までの距離を算出し、障害物の位置を取得するとよい。
【００４４】
外界認識部４１はまた、外界センサ７の検出結果、より具体的には車外カメラ１９によって撮像された画像をパターンマッチング等の公知の画像解析手法に基づいて解析し、例えば、道路標示により区画された道路上の車線や、道路や駐車場等の路面に描かれた白線等の区画線５４により区画された駐車枠５２（図５参照）を取得することができる。
【００４５】
自車位置特定部４２は、ナビゲーション装置１０のＧＰＳ受信部２０からの信号に基づいて、自車両の位置を検出する。また、自車位置特定部４２はＧＰＳ受信部２０からの信号に加えて、車両センサ８から車速やヨーレートを取得し、いわゆる慣性航法を用いて自車両の位置及び姿勢を特定してもよい。
【００４６】
走行制御部４４は、行動計画部４３からの走行制御の指示に基づいて、推進装置４、ブレーキ装置５、及びステアリング装置６を制御し、車両を走行させる。
【００４７】
車両異常検出部４５は各種装置やセンサからの信号に基づいて車両の異常を検出する。車両の異常には推進装置４、ブレーキ装置５、及びステアリング装置６を含む車両の駆動に要する装置の故障や、外界センサ７又は車両センサ８、ＧＰＳ受信部２０等の車両の自律的な走行に要する各種センサの故障が含まれる。また、車両の異常にはＨＭＩ１４の故障が含まれる。
【００４８】
車両状態判定部４６は車両に設けられた各種センサからの信号に基づいて車両の状態を取得し、車両が走行を禁止すべき禁止状態にあるかを判定する。車両状態判定部４６は、乗員によって車両の自律的な移動を覆そうとする運転操作子１１への運転動作（オーバライド操作）が有ったときに、車両の状態が走行を禁止すべき禁止状態にあると判定する。
【００４９】
更に、車両状態判定部４６は状態検出センサ１３の検出結果に基づいて、車両が乗員の降車意思を反映した状態にあるときに、車両が禁止状態にあると判定する。より具体的には、車両状態判定部４６は、ドア開閉センサ２９においてドアが開かれていることを検出したときには、車両は禁止状態にあると判定する。車両状態判定部４６は、シートベルトセンサ３０においてシートベルトが解除されていることを検出したときには、車両は禁止状態にあると判定する。
【００５０】
また、車両状態判定部４６は状態検出センサ１３からの信号に基づいて、車両が乗員の周辺監視を行う意思がないことを反映した状態にあるときには、車両が禁止状態にあると判定する。より具体的には、車両状態判定部４６は、ドアミラー位置センサ３１においてドアミラーが閉じられた状態にあるときには、車両は禁止状態にあると判定する。
【００５１】
行動計画部４３は、車両が所定の状態にあり、且つＨＭＩ１４や駐車メインスイッチ３４にユーザから自動駐車を希望することに対応する所定の入力があったときに、自動駐車処理を行う。具体的には、行動計画部４３は、車両が停止している又は車両が所定の駐車枠候補探索可能車速以下の低速で走行しているときに、対応する所定の入力があった場合に、自動入庫処理を行う。また、行動計画部４３は、車両が停止しているときに、対応する所定の入力があったときに、自動出庫処理（縦列駐車出庫処理）を行う。自動駐車処理及び自動出庫処理のうち、行うべき処理の選択は、行動計画部４３が車両の状態に基づいて判定してもよく、タッチパネル３２、又は選択操作子３５を介して乗員により選択されてもよい。自動入庫処理を行う場合には、行動計画部４３は、最初に目標駐車枠５３を設定するための駐車検索画面をタッチパネル３２に表示させ、目標駐車枠５３の設定後、入庫画面をタッチパネル３２に表示させる。自動出庫処理を行う場合には、行動計画部４３は、目標出庫枠を設定するための出庫検索画面を表示させ、目標出庫枠の設定後、出庫画面をタッチパネル３２に表示させる。
【００５２】
自動入庫処理について図２を参照して説明を行う。行動計画部４３は最初に駐車可能枠の取得を行う取得処理（ステップＳＴ１）を行う。より具体的には、車両が停止している場合には、行動計画部４３はまず、ＨＭＩ１４のタッチパネル３２に乗員に車両を直進させるように指示する通知を表示させる。運転席に着座する乗員（以下、運転者）が車両を直進させている間に、外界認識部４１は外界センサ７からの信号に基づいて、障害物の位置及び大きさと、路面に描かれた区画線５４の位置とを取得する。外界認識部４１は取得した障害物の位置及び大きさと区画線５４とに基づいて、自車を駐車可能な大きさの利用可能な駐車空間５０（障害物がない空間）及び区画線５４等により区画される他車両が停まっていない利用可能な空き駐車枠（以下、空き駐車空間と空き駐車枠とを併せて駐車可能枠という）を抽出する。
【００５３】
次に、行動計画部４３は、車両の現在地から抽出した駐車可能枠に至るまでの車両の軌道５６（図７（Ｂ）参照）を算出する軌道算出処理（ＳＴ２）を行う。車両の軌道５６を算出可能である場合、行動計画部４３は駐車可能枠を入庫可能な駐車枠候補に設定し、駐車枠候補をタッチパネル３２の画面（駐車検索画面）上に表示させる。障害物の存在により車両の軌道５６を算出できない場合、行動計画部４３は駐車可能枠を駐車枠候補に設定せず、駐車可能枠をタッチパネル３２の画面上に表示させない。行動計画部４３は、車両の軌道５６を算出可能な複数の駐車枠候補を設定した場合、これらの駐車枠候補をタッチパネル３２に表示させる。
【００５４】
次に、行動計画部４３は、タッチパネル３２に表示した駐車枠候補の中から乗員が駐車させたい目標駐車枠５３の選択操作を乗員から受け付ける目標駐車枠受付処理（ＳＴ３）を行う。より具体的には、行動計画部４３は、図３（Ａ）に示す駐車検索画面にて、俯瞰画像及び進行方向の鳥瞰画像を表示させる。行動計画部４３は、駐車枠候補を少なくとも１つ取得すると、これらの周辺画像の少なくとも１つに駐車枠候補を示す枠と、枠に対応するアイコン５５（駐車枠候補であることを示す記号（図３（Ａ）の「Ｐ」を参照））とを重ねて表示する。また行動計画部４３は、目標駐車枠５３の選択操作を受け付けるべく、運転者に車両を停止させて駐車枠（目標駐車枠５３）を設定するように指示する通知をタッチパネル３２の駐車検索画面上に表示させる。目標駐車枠５３の選択操作は、タッチパネル３２を介して行われてもよく、選択操作子３５を介して行われてもよい。
【００５５】
車両が停止し、目標駐車枠５３が運転者により選択された後、行動計画部４３は、タッチパネル３２の画面を駐車検索画面から入庫画面に切り替える。入庫画面は、図３（Ｂ）に示すように、タッチパネル３２の左半分に車両進行方向の正面画像を、右半分に車両及びその周辺を含む俯瞰画像をそれぞれ表示した画面である。このとき、行動計画部４３は駐車枠候補から選択された目標駐車枠５３を示す太線の枠と、枠に対応するアイコン５５（目標駐車枠５３であることを示す、駐車枠候補のアイコン５５とは異なる色で表示された記号）とを俯瞰画像に重ねて表示するとよい。
【００５６】
目標駐車枠５３は、行動計画部４３が自動駐車処理によって車両を移動させるべき、水平面上に広がりを有する目標領域（目標駐車領域或いは目標駐車位置と称してもよい）であり、図４に示すように、長方形とされている。目標駐車枠５３は、車両の全長Ｌ１よりも大きな長さＬ２を有する大きさに設定されている。目標駐車枠５３の幅は、車両の全幅と同一又は車両の全幅よりも若干大きな値に設定されている。行動計画部４３は、目標駐車枠５３内に、車両を停止させるべき停止位置５７を設定する。行動計画部４３は、標準的には車両の前後の空間が均等となる位置、すなわち、目標駐車枠５３の後端からマージンＭ（Ｍ＝Ｌ２−Ｌ１）の１／２だけ前方の位置に停止位置５７を設定する。
【００５７】
行動計画部４３は、入庫画面の正面画像上及び俯瞰画像上に、目標駐車枠５３、停止位置５７及び、現在位置から停止位置５７へ至る軌道５６を重ねて表示するとよい（図７（Ｂ）参照）。軌道５６は、車両の側面を示す車幅間隔の２本の線で示されてもよく、車幅間隔の幅の帯線で示されてもよい。或いは、車両の中心や車軸間の中心の軌道５６を示す１本の線で軌道５６が示されてもよい。俯瞰画像に示される軌道５６は、自車両から目標駐車枠５３内の停止位置５７に至る一筆書きの線（画面に納まる場合）である。
【００５８】
目標駐車枠５３が設定され、タッチパネル３２の画面が入庫画面に切り替わった後、行動計画部４３は車両を算出された軌道５６に沿って走行させる駆動処理（ＳＴ４）を行う。このとき、行動計画部４３はＧＰＳ受信部２０によって取得した車両の位置や、車外カメラ１９、車両センサ８等の信号に基づいて、車両を算出された軌道５６に沿って走行するように制御する。このとき、行動計画部４３は、推進装置４、ブレーキ装置５、及びステアリング装置６を制御して、車両に前進及び後退を繰り返し行わせる切り返しを実行する。
【００５９】
駆動処理中において、行動計画部４３は車外カメラ１９から車両の進行方向の画像を取得し、タッチパネル３２の左半分に表示させるとよい。より具体的には、例えば、図３（Ｂ）に示すように、行動計画部４３は、車両が後退しているときにはタッチパネル３２の左半分に車外カメラ１９によって撮像された車両後方の画像を表示させるとよい。行動計画部４３が駆動処理を実行している間、タッチパネル３２の右半分の俯瞰画像上の自車周辺の周辺画像は車両の移動に合わせて変化する。行動計画部４３は車両が目標駐車枠５３に到達すると、車両を停止させて、駆動処理を終了する。
【００６０】
駆動処理中において、車両が禁止状態にあることが車両状態判定部４６により判定されると、行動計画部４３は自動駐車が中断又は中止される旨の表示をタッチパネル３２に表示し、車両を停止させるべく車両を減速させる減速処理を実行する。このように運転操作子１１を介して乗員による所定の操作入力があった場合に行動計画部４３が減速処理を実行することにより、車両の移動が継続されることによって乗員が不安を覚えることが抑制される。
【００６１】
駆動処理中において、車両異常検出部４５によって車両の異常が検出された場合にも、行動計画部４３は自動駐車が中止される旨の表示をタッチパネル３２に表示し、車両を停止させるべく車両を減速させる減速処理を実行する。駆動処理中において、行動計画部４３は車外カメラ１９によって撮像された進行方向の画像、及び、ソナー１８からの信号に基づいて、車両の進行方向の所定距離内に障害物を検出すると、自動駐車が中断される旨の表示をタッチパネル３２に表示し、車両を停止させるべく車両を減速させる減速処理を実行する。
【００６２】
行動計画部４３は自動駐車を中断する場合には、タッチパネル３２に再開ボタン及び中止ボタンを表示させる。行動計画部４３は、中断理由が存続している間は、再開ボタンを操作不能とし、中断理由がなくなったときに再開ボタンを操作可能とする。再開ボタンは、操作不能な状態か操作可能な状態かがわかるようにタッチパネル３２に表示されるとよい。行動計画部４３は、再開ボタンへの入力操作を受け付けると、自動駐車を再開する。駆動処理の実行中、上記のように行動計画部４３は入庫画面の正面画像上及び俯瞰画像上に目標駐車枠５３、停止位置５７及び軌道５６をタッチパネル３２に表示させ、俯瞰画像上には更に自車両を、図形や写真、絵などの形式でタッチパネル３２に表示させる。
【００６３】
また行動計画部４３は、駆動処理の実行中、車外カメラ１９によって撮像された進行方向の画像、及び、ソナー１８からの信号に基づいて、停止位置５７の適否を判定する（ステップＳＴ５）。停止位置５７の適否の判定については後に詳細に説明する。
【００６４】
停止位置５７が適切でないと判定された場合（ＳＴ６：Ｎｏ）、行動計画部４３は、停止位置５７を修正し（ステップＳＴ６）、修正した停止位置５７をタッチパネル３２に表示させる。この際、行動計画部４３は、車両が目標駐車枠５３に収まる範囲で停止位置５７を修正する。本実施形態では、行動計画部４３は停止位置５７を修正する場合に、停止位置５７を軌道５６に沿って手前、すなわち目標駐車枠５３の入口側（停止する車両の前方）に移動させる。つまり、行動計画部４３は停止位置５７が不適切であると判定した場合に停止位置５７のみを修正し、目標駐車枠５３の位置は修正しない。停止位置５７が適切と判定された場合（ＳＴ６：Ｙｅｓ）、行動計画部４３は、停止位置５７を修正することなく駆動処理を継続する。停止位置５７の修正については後に更に詳細に説明する。
【００６５】
駆動処理が終了すると、行動計画部４３は駐車処理（ＳＴ７）を実行する。駐車処理において行動計画部４３は最初に、シフトアクチュエータ１７を駆動させてシフトポジション（シフト位置、シフトレンジ）を駐車位置（駐車レンジ、パーキング（Ｐ）レンジ）にする。その後、行動計画部４３は、パーキングブレーキ装置を駆動させ、行動計画部４３はタッチパネル３２の画面上に駐車が完了したことを示すポップアップ（図３（Ｃ）参照）を所定時間表示させる。その後、行動計画部４３は、タッチパネル３２の画面表示を、ナビゲーション装置１０の操作画面や地図画面に切り替えるとよい。
【００６６】
また、駐車処理において、行動計画部４３は、シフトアクチュエータ１７に異常がありシフトポジションを駐車位置に変更できない場合や、パーキングブレーキ装置に異常があり、パーキングブレーキ装置を駆動させることができない場合には、タッチパネル３２の画面に異常原因を表示させるとよい。
【００６７】
次に、自動入庫処理についてより詳細に説明する。外界認識部４１及び行動計画部４３は、上記のようにステップＳＴ１、ＳＴ２において、取得処理及び軌道算出処理を行う。取得処理において、外界認識部４１は、外界センサ７（ソナー１８、車外カメラ１９）の検出結果に基づいて駐車枠候補を検出する。
【００６８】
具体的には、外界認識部４１はソナー１８により検出された車両の周囲に於ける通路及び物体（走行の支障になる障害物）以外の自車よりも大きな領域を駐車可能な駐車空間５０（図６参照）として検出する。外界認識部４１は、駐車空間５０を検出するために、低速走行或いは停止している車両を基準として、例えば車両の側方７〜８ｍ程度の範囲の障害物を検出する。
【００６９】
外界認識部４１は、検出した駐車空間５０の大きさ（平面視における大きさ）に基づいて駐車空間５０の種別を判定する。駐車空間５０の種別には、自車を並列配列で駐車させることが可能な並列駐車空間、自車を縦列配列で駐車させることが可能な縦列駐車空間、及び自車を斜め配列で駐車させることが可能な斜め駐車空間がある。
【００７０】
検出した空間がある種別の１台分の駐車サイズ（例えば、２．５ｍ×５ｍ（並列駐車の場合）や、２ｍ×７ｍ（縦列駐車の場合））を満たし、２台分の駐車サイズ（例えば、５ｍ×５ｍや、２ｍ×１４ｍ）を満たさない場合、外界認識部４１は、検出した駐車空間５０の概ね中央に自車を駐車させるべき長方形の仮想駐車枠５１（図６参照）を設定する。この際、外界認識部４１は、仮想駐車枠５１の位置を自車から側方へ１〜２ｍ程度離れた範囲に設定するとよい。外界認識部４１は検出した障害物の位置に応じて仮想駐車枠５１の位置を設定してもよい。仮想駐車枠５１は上記駐車可能枠のうちの空き駐車空間に相当する。ステップＳＴ２の軌道算出処理により、車両の現在地から仮想駐車枠５１までの車両の軌道５６を算出可能である場合、外界認識部４１は仮想駐車枠５１を駐車枠候補に設定する。
【００７１】
検出した駐車空間５０が自車を並列駐車させるのに十分な奥行き（車幅方向の奥行きであり、例えば、６ｍ）を有し、且つその幅（車両進行方向の間口）が２台分の並列駐車サイズ（例えば、５ｍ）よりも大きい場合、外界認識部４１は、検出した駐車空間５０内に車両を最大数駐車できるように並列配列の複数の仮想駐車枠５１を設定し、これらの仮想駐車枠５１について軌道算出処理を行った後に駐車枠候補に設定する。これにより、大きな駐車空間５０には複数の仮想駐車枠５１が設定されるため、乗員は駐車空間５０内に設定された複数の仮想駐車枠５１の中から駐車したい駐車枠を目標駐車枠５３に選択することができる。
【００７２】
また、外界認識部４１は、既に駐車している他車両が存在する場合には、駐車している他車両の駐車配列に適合するように駐車空間５０の種別を設定して仮想駐車枠５１を設定する。例えば、検出した駐車空間５０の自車基準の前後方向の一方に斜め配列で駐車している車両がある場合、外界認識部４１は、検出した駐車空間５０内に斜め配列の複数の仮想駐車枠５１を設定する。周辺に斜め配列で駐車している車両がない場合、外界認識部４１は斜め配列の複数の仮想駐車枠５１に優先して、並列配列の複数の仮想駐車枠５１を設定する。これにより、適切と考えられる仮想駐車枠５１が駐車空間５０に設定され、不適切な駐車枠候補がタッチパネル３２に表示されることが抑制される。
【００７３】
一方、検出した空間がある種別の１台分の駐車サイズ（例えば、２．５ｍ×５ｍ（並列駐車の場合））を満たさない場合であっても、空間の幅が駐車サイズ（例えば、２．５ｍ）を満たし、この空間が駐車空間５０に適していると推定できる場合には、外界認識部４１は、この空間を駐車空間５０とみなし、みなしの駐車空間５０の幅方向の概ね中央に自車を駐車させるべき長方形の仮想駐車枠５１（図６参照）を設定する。また外界認識部４１は、仮想駐車枠５１の前端を、周囲の障害物（他の車両や柱、壁など）の前端に一致するように設定する。
【００７４】
このように、障害物が駐車空間５０の奥までないことを検出できない場合であっても、この空間を駐車空間５０とみなして仮想駐車枠５１を設定することにより、目標駐車枠５３に設定するための駐車枠候補の選択肢が広がり、駐車支援システム１の利便性が高まる。
【００７５】
このように一部において互いに重なり合う複数の駐車枠候補が、縦列駐車枠候補、並列駐車枠候補及び斜め駐車枠候補のうち少なくとも２つを含むことにより、駐車空間５０に互いに交差する長手方向を有する複数の向きの駐車枠候補がタッチパネル３２に表示可能になり、目標駐車枠５３の選択肢が広がる。
【００７６】
既に駐車している他車両が存在しておらず、検出した駐車空間５０が自車を並列駐車させるのに十分な奥行きを有さず、且つその幅（車両進行方向の間口）が２台分の駐車スペース（例えば、１４ｍ）よりも大きい場合、外界認識部４１は、検出した駐車空間５０内に車両を最大数駐車できるように縦列配列の複数の仮想駐車枠５１を設定する。
【００７７】
更に、検出した駐車空間５０が自車を並列駐車させるのに十分な奥行き（例えば、６ｍ）を有し、且つその幅が自車を縦列駐車させるのに十分な縦列駐車サイズ（例えば、７ｍ）よりも大きい場合、外界認識部４１は、検出した駐車空間５０内に、並列配列の複数の仮想駐車枠５１及び縦列配列の少なくとも１つの仮想駐車枠５１を設定する。このとき、互いに交差する長手方向を有する並列配列の複数の仮想駐車枠５１と縦列配列の仮想駐車枠５１とが一部において互いに重なり合うように設定される。
【００７８】
また外界認識部４１はソナー１８の検出結果と車外カメラ１９の検出結果との両方を用いて駐車枠候補を整合させるとよい。具体的には、駐車枠５２（図５）を区画する白線等の区画線５４が明確に検出できる場合には、車外カメラ１９により検出された区画された駐車枠５２を優先して駐車枠候補に設定する。車外カメラ１９により検出可能な区画線５４がない場合、外界認識部４１はソナー１８により検出された駐車空間５０から設定される仮想駐車枠５１を駐車枠候補に設定する。車外カメラ１９により区画線５４が不明瞭に検出される場合、外界認識部４１はソナー１８により検出された仮想駐車枠５１の位置を区画線５４の位置に応じて移動させ、駐車枠候補に設定する。
【００７９】
或いは、外界認識部４１は、車外カメラ１９によって撮像された画像の解析結果だけを用いて駐車枠候補を検出してもよい。具体的には、外界認識部４１は駐車枠５２に適した間隔をもって互いに平行に路面上に描画された所定長さ（例えば、５ｍ）以上の２本の区画線５４を検出したときに、２本の区画線５４によって挟まれた領域内に駐車枠５２を設定する。この駐車枠５２は上記駐車可能枠のうちの空き駐車枠に相当する。
【００８０】
この場合にも、検出した区画線５４によって区画される駐車枠５２の大きさがある種別の１台分の駐車サイズ（例えば、長さ５ｍ）を満たさない場合であっても、２本の区画線５４の間隔が駐車サイズ（例えば、２．５ｍ）を満たし、これらの区画線５４によって区画される領域が駐車枠５２に適していると推定できる場合には、外界認識部４１は、この領域を駐車枠５２とみなし、２本の区画線５４の間隔方向の概ね中央にみなしの駐車枠５２（図５参照）を設定する。また外界認識部４１は駐車枠５２の前端を２本の区画線５４の前端に一致するように設定する。２本の区画線５４の一方の前端が他方の前端よりも突出している場合は、外界認識部４１は駐車枠５２の前端を突出していない方の区画線５４の前端に一致するように設定する。
【００８１】
このように、２本の区画線５４が駐車枠５２の奥まであることを検出できない場合であっても、この２本の区画線５４が駐車枠５２を区画する区画線５４であるとみなして駐車枠５２を設定することにより、目標駐車枠５３に設定するための駐車枠候補の選択肢が広がり、駐車支援システム１の利便性が高まる。
【００８２】
このように外界センサ７（ソナー１８及び車外カメラ１９）及び外界認識部４１は、互いに協働して、車両の周囲の、駐車空間５０から設定される仮想駐車枠５１及び／又は利用可能な区画された駐車枠５２を駐車枠候補として検出する駐車枠候補検出装置として機能する。
【００８３】
行動計画部４３は、これらの仮想駐車枠５１のすべてについて軌道算出処理を行った後に駐車枠候補に設定する。また、行動計画部４３は車外カメラ１９により検出された駐車枠５２（図５）のうち、上記駐車可能枠に相当する利用可能な駐車枠５２（空き駐車枠）について軌道算出処理を行い、車両の軌道５６を算出可能である場合にはその駐車枠５２を駐車枠候補に設定する。
【００８４】
行動計画部４３は、上記のように外界センサ７により検出された駐車枠候補を示す枠をタッチパネル３２の画面上に表示させる。複数の駐車枠候補が検出された場合、行動計画部４３は複数の駐車枠候補を示す枠をタッチパネル３２の画面上に表示させる。ただし、行動計画部４３にはタッチパネル３２に表示すべき駐車枠候補の上限数が設定されており、上限数を超える数の駐車枠候補が検出された場合、行動計画部４３は、これらの駐車枠候補の中からタッチパネル３２に表示すべき駐車枠候補を所定規則に従って選択する駐車枠候補選択処理を行う。本実施形態では、タッチパネル３２に表示させる駐車枠候補の上限数は３に設定されている。
【００８５】
例えば、車両が図５（Ａ）に示すような敷地の通路上で停止して自動入庫処理が開始された場合、行動計画部４３は図５（Ｂ）に示すようにタッチパネル３２に表示すべき駐車枠候補（この例では駐車枠５２）を選択する。
【００８６】
一方、図６（Ａ）に示すような駐車枠５２を検出できない場所で自動入庫処理が開始された場合、外界認識部４１は、駐車空間５０内に一部において互いに重なり合う１つの縦列駐車枠候補と２つの並列駐車枠候補（仮想駐車枠５１）とを検出する。この場合に図６（Ｂ）に示すように、行動計画部４３が検出された駐車枠候補を互いに重なり合うようにタッチパネル３２に表示させると、駐車枠候補の配置が複雑になる。
【００８７】
そこで、行動計画部４３は、一部において互いに重なり合う複数の駐車枠候補が外界センサ７により検出された場合、一部において互いに重なり合う複数の駐車枠候補のうちタッチパネル３２への表示を許容する駐車枠候補の数を２に制限する。具体的には、行動計画部４３は上記規則に従って選択した２つの互いに重なり合う２つの駐車枠候補を、図６（Ｃ）や図６（Ｄ）に示すように、一部において互いに重なり合うように且つ選択可能にタッチパネル３２に表示させる。
【００８８】
このように外界認識部４１は、車両の周囲に於ける通路及び障害物以外の領域を駐車空間５０として検出し、駐車空間５０内に、仮想駐車枠５１を設定可能に構成されている。
【００８９】
走行中の駐車メインスイッチ３４の操作によって自動駐車処理が開始された場合には、行動計画部４３は、外界認識部４１から複数の駐車枠候補を順次取得し、上限数を超える駐車枠候補が検出されと、優先度の最も低い駐車枠候補をタッチパネル３２に表示すべき駐車枠候補から外し、その情報をメモリから消去する。
【００９０】
図３（Ａ）を参照して説明したように、駐車探索画面において行動計画部４３は俯瞰画像と鳥瞰画像とを並べてタッチパネル３２に表示する。すなわち、行動計画部４３は車外カメラ１９により撮影された周辺画像を、俯瞰画像及び鳥瞰画像に変換する画像処理を実行可能に構成されている。これにより、駐車枠候補や目標駐車枠５３が乗員に理解し易いように表示される。また、図３（Ｂ）を参照して説明したように、入庫画面において行動計画部４３は俯瞰画像と進行方向の正面画像とを並べてタッチパネル３２に表示する。これにより、乗員は進行方向を画面上で確認できるとともに自動入庫処理における自律移動動作の進行状況を俯瞰画像で確認することができる。
【００９１】
ここで、俯瞰画像とは自車及び自車周辺を上から見下ろした画像である。俯瞰画像は、自車前方が画面の上になる向きに表示され、周辺画像の中心に自車を示す画像が合成される。鳥瞰画像とは自車及び自車進行方向を進行方向と逆方向の上方から進行方向に見下ろした画像である。俯瞰画像は、自車進行方向が画面の上になる向きに表示され、周辺画像の下部に自車を示す画像が合成される。車両の前進時には、鳥瞰画像は自車及び自車前方を後方且つ上方から前向きに見下ろした画像である。車両の後退時には、鳥瞰画像は自車及び自車前方を前方且つ上方から後向きに見下ろした画像である。なお、前進及び後退の判別は車速に基づいて行われてもよく、シフトレンジに基づいて行われてもよい。車両停止時や駐車レンジでの鳥瞰画像は前進時と同じ前向きに見下ろした画像であってよい。
【００９２】
図７（Ａ）に示すように、駐車探索画面において、行動計画部４３は上限数（本実施形態では３又は２）の駐車枠候補を長方形の枠線で表示するとともに、上限数の選択用のアイコン５５を対応する表示駐車枠候補に関連付けて表示する。駐車枠候補は俯瞰画像と鳥瞰画像と周辺画像に重ねて表示され、アイコン５５は俯瞰画像のみに周辺画像に重ねて表示される。カーソルにより選択されている駐車枠候補の枠は、他の駐車枠候補のものよりも太い太線で示され、カーソルにより選択されている駐車枠候補に対応するアイコン５５は、他の駐車枠候補に対応するアイコン５５よりも濃い色で示される。
【００９３】
このように駐車探索画面において、行動計画部４３が複数の駐車枠候補を車外カメラ１９により撮像された画像（俯瞰画像及び鳥瞰画像）上に重ねてタッチパネル３２に表示させることにより、タッチパネル３２の画面上に表示される複数の駐車枠候補が駐車空間５０のどの位置であるかを乗員が理解しやすく、複数の仮想駐車枠５１に対する選択が容易になる。
【００９４】
また、行動計画部４３が上限数の選択用のアイコン５５を対応する表示駐車枠候補に関連付けてタッチパネル３２に表示させることにより、駐車枠候補の全体がタッチパネル３２に表示されない場合であっても、選択用のアイコン５５の表示によって駐車枠候補の存在を乗員に確実に通知することができる。
【００９５】
図７（Ｂ）に示すように、駐車探索画面において乗員が選択操作子３５を操作してカーソルにより選択される駐車枠候補を適宜変更し、タッチパネル３２又は選択操作子３５の操作により決定操作を行うと、行動計画部４３は選択された駐車枠候補を目標駐車枠５３に設定し、目標駐車枠５３に設定した枠に対応するアイコン５５を他のアイコン５５と異なる色でタッチパネル３２に表示させる。タッチパネル３２は、決定操作を行えるという意味において、選択操作子３５の一部と考えてよい。異なる色での表示は所定時間であってもよく、駆動制御が開始まで継続してもよい。また行動計画部４３は、現在位置から目標駐車枠５３に至る軌道５６を俯瞰画像及び鳥瞰画像に重ねて表示する。
【００９６】
図８（Ａ）に示すように、入庫画面においては、上記のように目標駐車枠５３、停止位置５７及び軌道５６（図７（Ｂ）参照）が正面画像上及び俯瞰画像上に重ねて表示される。駆動処理の実行中は、上記のように行動計画部４３が停止位置５７の適否を判定する。乗員が目標駐車枠５３に選択した駐車枠候補が、外界認識部４１により駐車空間５０とみなされた仮想駐車枠５１（図６参照）であった場合、目標駐車枠５３の奥側領域に障害物５８が存在することがあり得る。なお、車止めは、駐車空間５０に存在してしかるべき物であるため、障害物５８には含まれない。また、外界認識部４１が検出した空間がある１台分の駐車サイズを満たす空間であった場合であっても、駆動処理の開始後に目標駐車枠５３の奥側領域に障害物５８が置かれることもあり得る。
【００９７】
このような場合、乗員が目標駐車枠５３を選択したときに行動計画部４３が設定した停止位置５７が適切でないことがある。そのため行動計画部４３は、駆動処理の実行中、乗員による目標駐車枠５３の選択時に設定した停止位置５７が適切であるか否かを判定する。具体的には、行動計画部４３は、ソナー１８からの信号に基づいて、車両が後退しているときに車両の進行方向である後方に障害物５８があるか否かを判定する。
【００９８】
障害物５８があることが検出された場合、行動計画部４３は図８（Ｂ）に示すように、停止位置５７を軌道５６に沿って障害物５８よりも目標駐車枠５３の入口側（車両の前方側）へ修正する。このとき、行動計画部４３は、目標駐車枠５３の位置を修正せず、停止位置５７のみを所定の第１上限値以下の移動量をもって修正する。
【００９９】
本実施形態では、第１上限値はマージンＭ（図４参照）の１／２よりも大きな値に設定されている。従って、車両が停止位置５７に停止したとき（車両の後端が停止位置５７に整合するとき）に、車両が目標駐車枠５３から前方にはみ出ることがある。これは、障害物５８があるにも関わらず、ユーザが目標駐車枠５３に設定した場合や、ユーザが目標駐車枠５３を設定した後に障害物５８が出現した場合には、車両が目標駐車枠５３から前方にはみ出していても致し方なく、その状態で自動駐車を終了することを意味する。この場合は、ユーザは自動駐車の完了後に駐車枠の変更が必要であるか否かを判断し、必要であれば他の駐車枠候補を目標駐車枠５３に選択して自動駐車をやり直せばよい。他の実施形態では、第１上限値がマージンＭの１／２以下の値に設定されてもよい。この場合、停止位置５７に停止した車両の前端は、目標駐車枠５３の前端よりも奥（車両の後方側）に位置する。
【０１００】
停止位置５７を修正すると、行動計画部４３は入庫画面の正面画像上及び俯瞰画像上に表示されている停止位置５７を修正した位置へ移動させる。
【０１０１】
タッチパネル３２に修正した停止位置５７を表示させた後、図８（Ｃ）に示すように、行動計画部４３は修正した停止位置５７に車両を停止させ、駆動処理を終了する。駆動処理が終了したときには、タッチパネル３２に表示される停止位置５７と車両の位置（後端の位置）とが、互いに概ね一致して表示される。
【０１０２】
このように、駆動処理の実行中、停止位置５７に向けて車両が移動しているときに目標駐車枠５３内に位置する障害物５８が検出され、停止位置５７を不適と判定した場合、行動計画部４３は所定の第１上限値以下の移動量をもって停止位置５７を修正する。これにより、タッチパネル３２に表示された停止位置５７と車両の位置とが異なることによってユーザが覚える違和感が抑制される。
【０１０３】
またこの際、行動計画部４３は停止位置５７を軌道５６に沿って目標駐車枠５３の入口側に修正するため、軌道５６を修正する必要がなく、容易に停止位置５７を修正することができる。
【０１０４】
更に行動計画部４３は、停止位置５７の適否に関わらず、駆動処理の実行中にタッチパネル３２に表示させている目標駐車枠５３の位置を修正しない。そのため、目標駐車枠５３の位置が変更されることによってユーザが違和感を覚えることがない。
【０１０５】
一方、乗員が目標駐車枠５３に選択した駐車枠候補が、外界認識部４１により駐車枠５２（図５参照）とみなされた領域であった場合、図９（Ａ）に示すように、駐車枠５２を区画する２本の区画線５４が途切れていたり、擦れていたり、汚れていたりすることで、外界認識部４１が区画線５４を目標駐車枠５３の奥側部分まで検出できないことがあり得る。
【０１０６】
このような場合、乗員が目標駐車枠５３を選択したときに行動計画部４３が設定した停止位置５７が適切でないことがある。そのため行動計画部４３は、駆動処理の実行中、乗員による目標駐車枠５３の選択時に設定した停止位置５７が適切であるか否かを判定する。具体的には、行動計画部４３は、車外カメラ１９によって撮像された画像に基づいて、車両が後退しているときに目標駐車枠５３の側部の区画線５４を検出し、区画線５４が目標駐車枠５３の奥側部分まで引かれているか否かを判定する。
【０１０７】
区画線５４が目標駐車枠５３の奥側部分まで引かれていないことが判定された場合、行動計画部４３は図９（Ｂ）に示すように、停止位置５７を軌道５６に沿って検出した区画線５４の奥側端部よりも目標駐車枠５３の入口側（車両の前方側）へ修正する。このときも、行動計画部４３は、目標駐車枠５３の位置を修正せず、停止位置５７のみを所定の第２上限値以下の移動量をもって修正する。第２上限値は、第１上限値よりも小さな値である。これは、タッチパネル３２に表示される駐車枠候補が外界認識部４１によって区画線５４を検出できない駐車枠であることは、目標駐車枠５３内に障害物５８が存在する場合よりも、ユーザにとって認識しづらく、このような場合に車両が目標駐車枠５３からはみ出た状態で駆動処理が終了すると、タッチパネル３２に表示された停止位置５７と車両の位置とが異なることにユーザが違和感を覚えやすいからである。
【０１０８】
また第２上限値は、車両の前端から目標駐車枠５３の前端までの距離以下の値である。すなわち、第２上限値は、車両が目標駐車枠５３に収まる範囲の値に設定される。本実施形態では、第１上限値はマージンＭ（図４参照）の１／２の値に設定されている。他の実施形態では、第１上限値がマージンＭの１／２よりも小さな値に設定されてもよい。この場合、停止位置５７に停止した車両の前端は、目標駐車枠５３の前端よりも奥（車両の後方側）に位置する。
【０１０９】
停止位置５７を修正すると、行動計画部４３は入庫画面の正面画像上及び俯瞰画像上に表示されている停止位置５７を修正した位置へ移動させる。タッチパネル３２に修正した停止位置５７を表示させた後、図９（Ｃ）に示すように、行動計画部４３は、修正した停止位置５７に車両を停止させ、駆動処理を終了する。駆動処理が終了したときには、図８（Ｂ）に示すように、タッチパネル３２に表示される停止位置５７と車両の位置（後端位置）とが、互いに概ね一致して表示される。
【０１１０】
４６
このように、駆動処理の実行中、駐車枠５２の側部の区画線５４の検出不能によって停止位置５７を不適と判定した場合、行動計画部４３は所定の第１上限値よりも小さな第２上限値以下の移動量をもって停止位置５７を修正する。これにより、区画線５４の検出不能に起因して停止位置５７を修正する場合、障害物５８の検出に起因して停止位置５７を修正する場合に比べて小さな第２上限値の移動量をもって停止位置５７が修正される。従って、区画線５４を検出できないことに起因して修正された停止位置５７に車両が停止した場合に、タッチパネル３２に表示された停止位置５７と車両の位置とが異なることによってユーザが覚える違和感が抑制される。
【０１１１】
またこの際、車両が目標駐車枠５３に収まる範囲で第２上限値が設定されることにより、駆動処理の終了時に車両が目標駐車枠５３からはみ出ることがない。従って、駆動処理の終了時における車両の位置に対してユーザが覚える違和感が抑制される。
【０１１２】
以上に説明したように、行動計画部４３は、駆動処理の実行中、軌道５６及び停止位置５７をタッチパネル３２に表示させ、且つ、ソナー１８や車外カメラ１９が取得した外界情報に基づいて停止位置５７の適否を判定し、停止位置５７の不適を判定した場合、停止位置５７を修正し、修正した停止位置５７をタッチパネル３２に表示させる。これにより、駆動処理の実行中に停止位置５７の不適が判定された場合、タッチパネル３２に表示された修正後の停止位置５７と車両の位置とのずれが縮小される。そのため、駆動処理の終了時に停止位置５７と車両の位置とが異なることによってユーザが覚える違和感が抑制される。
【０１１３】
以上で具体的実施形態の説明を終えるが、本発明は上記実施形態に限定されることなく幅広く変形実施することができる。例えば、各部材や部位の具体的構成や配置、数量、処理の内容や手順など、本発明の趣旨を逸脱しない範囲であれば適宜変更可能である。一方、上記実施形態に示した各構成要素は必ずしも全てが必須ではなく、適宜選択することができる。
【符号の説明】
【０１１４】
１      駐車支援システム
７      外界センサ（駐車枠候補検出装置）
１５    制御装置
１８    ソナー（外界情報取得装置）
１９    車外カメラ（外界情報取得装置）
３２    タッチパネル（表示装置、選択操作子）
３５    選択操作子
４１    外界認識部（駐車枠候補検出装置）
４３    行動計画部
５０    駐車空間
５１    仮想駐車枠
５２    駐車枠
５３    目標駐車枠
５４    区画線
５６    軌道
５７    停止位置
５８    障害物
【図１】
0006982053.tif 000002
【図２】
0006982053.tif 000003
【図３】
0006982053.tif 000004
【図４】
0006982053.tif 000005
【図５】
0006982053.tif 000006
【図６】
0006982053.tif 000007
【図７】
0006982053.tif 000008
【図８】
0006982053.tif 000009
【図９】
0006982053.tif 000010